(57)【要約】【課題】本願発明は、乾燥に強いコケあるいは大きく成長しない植物を利用することにより簡便で自然景観に優れ、かつ環境を汚染せず緑化を実現する手段の提供にある。【解決手段】内部が空洞な2つの半割体を合体させることによって構成される緑化物であって、前記半割体の外面は緑化物中の植物が延出可能な網目状をなし、内面から中心に向かって支承のための複数の突状部が設けられ、突状部の端部にて緑化物内に充填する培養土を支承させ、突状部端部と半割体ない表面のとで形成される空間にコケなどの植生を充填させた緑化物であり、この緑化物を散布、充填、配列する緑化方法である。【選択図】図1
2006166721.tif 000002
【特許請求の範囲】
【請求項１】
内部が空洞な2つの半割体を合体させることによって構成される緑化物であって、前記半割体の外面は緑化物中の植物が延出可能な網目状をなし、内面から中心に向かって支承のための複数の突状部が設けられ、突状部の端部にて緑化物内に充填する培養土を支承させ、突状部端部と半割体内表面とで形成される空間にコケなどの植生を充填させたことを特徴とする緑化物。
【請求項２】
内部が空洞な2つの半割体を合体させることによって構成される緑化物であって、前記半割体の外面は緑化物中の植物が延出可能な網目状をなし、内面から中心に向かって支承のための複数の突状部が設けられ、突状部の端部にて緑化物内に充填する培養土を支承させ、培養土中に植物の種を混合させ、突状部端部と半割体内表面とで形成される空間を植生の生育空間としたことを特徴とする緑化物。
【請求項３】
請求項1および２記載の緑化物を散布、充填、あるいは配列することで緑化する緑化方法。
【発明の詳細な説明】
【技術分野】
【０００１】
本発明は、線路面、路面、広場あるいは屋上の緑化技術に属する。
【背景技術】
【０００２】
線路面、路面、広場あるいは屋上を緑化する方法が各種提案されている。特許公開H6-173267には、繊維シート上でコケ群落を形成し、岩盤などの基面に貼り付ける。特に本目的に好適なコケとしてシッポゴケ科のフデゴケなどが挙げられている。特許公開2000-365225には、和紙3層が層状に絡み合う各隙間に、細片化したコケと、活性炭又は木炭の粉粒物とを分散させた物が開示されている。特許公開2003-250335には水溶性で表面にコケ植物が付着可能な程度の凹凸を有するシートの間にコケ植物配偶体を挟んだコケ植物担持体を緑化する基面に貼り付ける方法が開示されている。水溶性のシートでコケ植物が基面から剥がれるのを防止し、水溶性のシートが雨水によって消滅するとコケ植物が表面に現れ、外観が緑地として見えるようになるものである。
【特許文献１】特許公開H06-173267
【特許文献２】特許公開2002-165518
【特許文献３】特許公開2003-250335
【発明の開示】
【発明が解決しようとする課題】
【０００３】
本願発明は、乾燥に強いコケあるいは大きく成長しない植物を利用することにより簡便で自然景観に優れ、かつ環境を汚染せず緑化を実現する手段の提供にある。
【課題を解決するための手段】
【０００４】
本第1の発明は、内部が空洞な２つの半割体を合体させることによって構成される緑化物であって、前記半割体の外面は緑化物中の植物が延出可能な網目状をなし、内面から中心に向かって支承のための複数の突状部が設けられ、突状部の端部にて緑化物内に充填する培養土を支承させ、突状部端部と半割体内表面とで形成される空間にコケなどの植生を充填させたことを特徴とする緑化物である。
本第２の発明は、内部が空洞な2つの半割体を合体させることによって構成される緑化物であって、前記半割体の外面は緑化物中の植物が延出可能な網目状をなし、内面から中心に向かって支承のための複数の突状部が設けられ、突状部の端部にて緑化物内に充填する培養土を支承させ、培養土中に植物の種を混合させ、突状部端部と半割体内表面とで形成される空間を植生の生育空間としたことを特徴とする緑化物である。
本第３の発明は、上記載の緑化物を散布、充填、あるいは配列することで緑化する緑化方法である。
【発明の効果】
【０００５】
コケなどの植物を封じ込めた緑化物を、緑化を必要としている線路路盤上あるいは屋上などに散布することで降水を受けることで簡単に緑化可能である。
【発明を実施するための最良の形態】
【０００６】
以下本発明である緑化物につき、図を用いて、より詳細に説明する。
図１は、緑化物の一例をその断面図でしめしたものである。図２は２つの半割体を接合する以前の緑化物の断面を示した図である。
図に示したように表面が網目状で内部が空間な2つの半割体を合わせて緑化物を構成するようになっている。半割体の内部にはその内表面から中心に向かって複数の突状部が設けられている。この突状部の他の端面は合わせて球状となりその内部にコケなどの植物を育成するための培養土が支承されるようになっている。すなわち緑化物は、その中心から培養土、植物の育成域、網目状外郭の三層構造となっている。
【０００７】
2つの半割体はその相接する端面で接続可能となるよう契合具が設けられている。契合具は継ぎ手、磁石など既存の方法が使用できる。
【０００８】
半割体の表面は網目状となされ、コケあるいは大きく生長しない植物が延出可能な程度の大きさがあればよい。
【０００９】
半割体の内表面から中心部に伸びる突状部はその他端面が緑化物の内部でほぼ球形状となり、培養土が支承されるようになっていればよい。
【００１０】
培養土は、保湿あるいは吸湿性を有する多孔性のものが好ましく、軽石、パーキュムライト、パーライトなどを単独あるいはそれらを混合したものが使用できる。好ましくは網状の袋に入れて使用することが好ましい。袋はひとつであっても分割して複数であってもよい。
【００１１】
培養土中に、植物の種、肥料などを混合しておくこともできる。この場合培養土を支承する突状部と半割体の内表面とが作る空間は植物が生育する空間となる。
【００１２】
使用する植生は乾燥に強い植物が好ましく使用される。特にコケは乾燥に強く、貯蔵が可能であり、雨水を受けることで速やかに緑化するため好ましく使用される。
【００１３】
緑化物の形状は、半割体を2つ合わせてほぼ球形となるものとして説明したが、立方体、直方体、卵型、あるいは不定形の外表面を有するものであってもなんら差し支えがない。
【００１４】
上記緑化物は緑化を必要とする場所、例えば線路路盤、屋上、広場などに散布することで、降雨を受け緑化物内のコケ類が活性化する結果緑化が可能となる。
緑化物の散乱を防ぐため、あるいは形状を保つため緑化物を網あるいは籠等に充填して使用してもよい。
また、図３に示すように、緑化物を紐、糸等でつなぎ壁面、屋上平面、円柱の周囲に配列あるいはすだれ状あるいは円柱状に空中に配列することで緑化を図ることでもよい。緑化物を配列する紐は必要に応じて、繊維を編んだホース状の紐を使用することもできる。中に水を通すことにより水がにじみ出て緑化物内に水分を供給することができる。
【図面の簡単な説明】
【００１５】
【図１】は、本発明の緑化物の断面を示す概念図である。
【図２】は、本発明の緑化物を構成する半割体の断面を示す概念図である。
【図３】は、本発明の緑化物を配列した例を示した概念図である。
【符号の説明】
【００１６】
１  緑化物
２  半割体
３  突状部  
４  培養土
５  培養土を包む網
６  コケなどの植物
【図１】
2006166721.tif 000003
【図２】
2006166721.tif 000004
【図３】
2006166721.tif 000005